(57)【要約】【課題】出力電圧のばらつきを少なくすることができる電源装置を提供する。【解決手段】電源部１から与えられる入力電圧を負荷に与える出力電圧に変換する電圧変換部２と、出力電圧の電圧値の設定値を与える出力電圧設定信号を発生する分圧回路４Ａと、設定値切換用スイッチ４B1，４B2のオンオフにより分圧回路４Ａの分圧比を異なる値に切り換えて設定値を切り換える設定値切換部４Ｂと、出力電圧の電圧値を規格範囲内に収めるために各設定値切換用スイッチがとるべきオンオフの状態を示す情報を記憶する記憶装置４Ｃと、電圧変換部２から負荷に電圧を供給する際に各設定値切換用スイッチの状態を記憶装置４Ｃに記憶された情報が示す通りの状態にするように設定値切換用スイッチを制御する設定値切換用スイッチ制御部と、出力電圧の電圧値と設定値との偏差を零にするように電圧変換部２を制御する出力電圧制御部５とを備えた。【選択図】    図１
2007282404.tif 000002
【特許請求の範囲】
【請求項１】
出力電圧の設定値を調整する際に抵抗値が調整される抵抗器を備えた出力電圧設定部と、前記出力電圧を前記設定値に保つように制御する制御部とを備えた電源装置において、  前記出力電圧設定部は、
複数の設定値切換用スイッチを備えて、該設定値切換用スイッチのオンオフにより前記抵抗器の抵抗値を切り換えて前記出力電圧の設定値を切り換える設定値切換部と、
前記出力電圧の電圧値を規格範囲に収めるために各設定値切換用スイッチがとるべきオンオフの状態を示す情報を記憶する記憶装置と、
前記電圧変換部から負荷に電圧を供給する際に各設定値切換用スイッチの状態を前記記憶装置に記憶された情報が示す通りの状態にするように前記設定値切換用スイッチを制御する設定値切換用スイッチ制御部と、
を具備してなる電源装置。
【請求項２】
電源部から与えられる入力電圧を負荷に与える出力電圧に変換する電圧変換部と、前記出力電圧の電圧値の設定値を与える出力電圧設定信号を発生する出力電圧設定部と、前記出力電圧の電圧値と前記設定値との偏差を零にするように前記電圧変換部を制御する出力電圧制御部とを備えた電源装置において、
前記出力電圧設定部は、
複数の設定値切換用スイッチを備えて、該設定値切換用スイッチのオンオフにより前記設定値を切り換える設定値切換部と、
前記出力電圧の電圧値を規格範囲に収めるために各設定値切換用スイッチがとるべきオンオフの状態を示す情報を記憶する記憶装置と、
前記電圧変換部から負荷に電圧を供給する際に各設定値切換用スイッチの状態を前記記憶装置に記憶された情報が示す通りの状態にするように前記設定値切換用スイッチを制御する設定値切換用スイッチ制御部と、
を具備してなる電源装置。
【請求項３】
電源部から与えられる入力電圧を負荷に与える出力電圧に変換する電圧変換部と、互いに直列に接続された上辺の抵抗と下辺の抵抗とを有して、定電圧電源回路から得られる一定の直流電圧を分圧して前記出力電圧の電圧値の設定値を与える出力電圧設定信号を発生する分圧回路を有する出力電圧設定部と、前記出力電圧の電圧値と前記設定値との偏差を零にするように前記電圧変換部を制御する出力電圧制御部とを備えた電源装置において、
前記出力電圧設定部は、
複数の設定値切換用スイッチを備えて該複数の設定値切換用スイッチのオンオフにより前記分圧回路の分圧比を異なる値に切り換えて前記設定値を切り換える設定値切換部と、  前記出力電圧の電圧値を規格範囲内に収めるために各設定値切換用スイッチがとるべきオンオフの状態を示す情報を記憶する記憶装置と、
前記電圧変換部から負荷に電圧を供給する際に各設定値切換用スイッチの状態を前記記憶装置に記憶された情報が示す通りの状態にするように前記設定値切換用スイッチを制御する設定値切換用スイッチ制御部と、
を具備してなる電源装置。
【請求項４】
前記設定値切換部に設けられた各設定値切換用スイッチは、抵抗分を有するインピーダンス素子を通して前記分圧回路の上辺の抵抗または下辺の抵抗に対して並列に接続されている請求項３に記載の電源装置。
【請求項５】
前記設定値切換部に設けられた各設定値切換用スイッチは、前記分圧回路の上辺の抵抗の一部または下辺の抵抗の一部に対して並列に接続されていて、各設定値切換用スイッチのオンオフにより前記分圧回路の上辺の抵抗の抵抗値または下辺の抵抗の抵抗値が切り換えられるように構成されている請求項３に記載の電源装置。
【請求項６】
前記電圧変換部は、ｎ個（ｎは２以上の整数）の整流用ダイオードとｎ個のＭＯＳＦＥＴとを備えて、該ｎ個の整流用ダイオードと該ｎ個のＭＯＳＦＥＴとにより全波整流回路を構成するように、前記ｎ個のダイオード及びｎ個のＭＯＳＦＥＴを、それぞれをブリッジの上辺及び下辺の一方及び他方に位置させてブリッジ接続した回路からなり、
前記出力電圧制御部は、前記電圧変換部から得られる出力電圧の電圧値と前記設定値との偏差を零にするように該偏差に応じてデューティが変化する矩形波状の駆動信号を前記ＭＯＳＦＥＴのゲートに同時に与えて前記ｎ個のＭＯＳＦＥＴを同時にオンオフさせるように構成されている請求項２，３，４または５に記載の電源装置。
【発明の詳細な説明】
【技術分野】
【０００１】
本発明は、出力電圧を設定値に保つように制御する機能を備えた電源装置に関するものである。
【背景技術】
【０００２】
内燃機関により駆動される発電機のように、出力電圧が変動する電源部の出力で負荷を駆動する場合には、負荷に与える出力電圧を設定値に保つように制御する電圧制御機能を備えた電源装置が用いられている。この種の電源装置は、電源部から与えられる入力電圧を負荷に与える出力電圧に変換する電圧変換部と、出力電圧の電圧値の設定値を与える出力電圧設定信号を発生する出力電圧設定部と、出力電圧の電圧値と設定値との偏差を零にするように電圧変換部を制御する出力電圧制御部とにより構成される。
【０００３】
例えば、内燃機関により駆動される磁石発電機の出力電圧を直流電圧に変換して負荷に供給する電源装置として、図１０に示したものが知られている。この電源装置は、特許文献１に示されているもので、図１０において、１は内燃機関により駆動される磁石式交流発電機からなる電源部、２は電源部１から与えられる入力電圧を負荷３に与える出力電圧に変換する電圧変換部、４′は出力電圧設定部、５は負荷３に与える出力電圧を設定値に保つように電圧変換部２を制御する出力電圧制御部である。
【０００４】
電圧変換部２は、２個の整流用ダイオードＤ1，Ｄ2と、２個のＭＯＳＦＥＴ  Ｆ1，Ｆ2とをブリッジ接続した回路からなっていて、ＭＯＳＦＥＴ  Ｆ1，Ｆ2のオンオフ動作により、電源部１を構成する発電機の電機子コイル１Ａを流れる電機子電流を断続させて電機子コイルの誘起電圧を昇圧させ、昇圧した誘起電圧をダイオードＤ1,Ｄ1とＭＯＳＦＥＴＦ1，Ｆ2とにより構成された全波整流回路を通して整流して負荷３に与える。
【０００５】
出力電圧設定部４′は、抵抗Ｒ1及びＲ2により構成された分圧回路４Ａからなっていて、一定の直流電圧Ｖccを分圧することにより、出力電圧の設定値Ｖsを与える出力電圧設定信号ｖsを発生する。また出力電圧制御部５は、抵抗Ｒ3及びＲ4により構成された分圧回路からなっていて、電圧変換部２から得られる出力電圧Ｖ1を検出して電圧検出信号ｖ1を発生する電圧検出部５Ａと、ＭＯＳＦＥＴ  Ｆ1，Ｆ2を同時にオンオフさせるようにＭＯＳＦＥＴＦ1，Ｆ2のゲートに矩形波状の駆動信号を与える駆動信号発生回路５Ｂと、電圧検出部５Ａが出力する電圧検出信号ｖ1により検出された出力電圧の電圧値Ｖ1と出力電圧設定信号ｖsにより与えられる設定値Ｖsとの偏差を零にするように、駆動信号発生回路５ＢからＭＯＳＦＥＴ  Ｆ1，Ｆ2への駆動信号Ｖqの供給を制御する駆動信号供給制御部５Ｃとからなっている。
【０００６】
図示の制御部５Ｃは、電圧検出信号ｖ1と設定信号ｖsとを比較する比較器ＣＭＰを備えて、電圧検出信号ｖ1と設定信号ｖsとの大小関係に応じて、駆動信号発生回路５Ｂを制御する回路からなっている。駆動信号発生回路５Ｂは、電圧検出信号ｖ1が出力電圧設定信号ｖsよりも低く、比較器ＣＭＰの出力が高レベルであるときに所定のデューティを有する矩形波信号Ｖｑを発生して、ＭＯＳＦＥＴ  Ｆ1，Ｆ2を同時にオンオフさせ、比較器ＣＭＰの出力が低レベルになったときに矩形波信号Ｖqのデューティを１００％として（ＭＯＳＦＥＴ  Ｆ1，Ｆ2のゲートに一定レベルの駆動信号が与えられたままの状態として）ＭＯＳＦＥＴ  Ｆ1，Ｆ2を共にオン状態に保持する。
【０００７】
ＭＯＳＦＥＴ  Ｆ1，Ｆ2が同時にオン状態にされたときには、電機子コイル１ＡがＭＯＳＦＥＴ  Ｆ1，Ｆ2を通して短絡されるため、電機子のコイル１Ａを通して電機子電流が流れる。ＭＯＳＦＥＴ  Ｆ1，Ｆ2が共にオフ状態にされると、それまで流れていた電機子電流が遮断されるため、電機子コイル１Ａに昇圧された電圧が誘起する。従って、電圧検出信号ｖ1が出力電圧設定信号ｖsよりも低く、ＭＯＳＦＥＴ  Ｆ1，Ｆ2がオンオフを繰り返しているときには、ＭＯＳＦＥＴ  Ｆ1，Ｆ2がオフ状態になる毎に電機子コイル１Ａに昇圧された電圧が誘起し、この電圧が電圧変換部２のダイオードＤ1，Ｄ2とＭＯＳＦＥＴＦ1，Ｆ2とからなる全波整流回路を通して負荷３に供給される。
【０００８】
電圧変換部２から負荷３に与えられる出力電圧Ｖ1が設定値Ｖsを超え、電圧検出信号ｖsが出力電圧設定信号ｖsを超えると、比較器ＣＭＰがその出力を低レベルにする。このとき駆動信号発生回路５Ｂは、ＭＯＳＦＥＴ  Ｆ1，Ｆ2に与える駆動信号のデューティを１００％とする。そのため、電機子コイル１ＡがＭＯＳＦＥＴ  Ｆ1，Ｆ2を通して短絡された状態に保持され、出力電圧Ｖ1が低下する。これらの動作の繰り返しにより、負荷３に与えられる出力電圧Ｖ1の電圧値が設定値付近に保たれる。
【０００９】
上記のように、ＭＯＳＦＥＴ  Ｆ1，Ｆ2のオンオフにより発電機の電機子電流を断続させて電機子コイルに昇圧された電圧を誘起させ、この昇圧された電圧を整流して負荷に与えるようにすると、電機子コイル１Ａの巻数を少なくしても発電機の低速回転時に高い出力電圧を得ることができる。また電機子コイル１Ａの巻数を少なくしてそのインピーダンスを小さくすることができるため、発電機の高速回転時に大きな負荷電流を流すことができる。
【特許文献１】特開平８−３３２２８号公報
【発明の開示】
【発明が解決しようとする課題】
【００１０】
上記のような電源装置においては、抵抗Ｒ1ないしＲ4の抵抗値にばらつきがあると、電圧変換部２から負荷３に与えられる出力電圧Ｖ1の値がばらついてしまう。そのため、電源装置の出力電圧Ｖ1の電圧値を規格範囲に収めるためには、電源装置の製造過程の検査工程で行う検査で、出力電圧Ｖ1が規格範囲から外れていることが検出されたときに、抵抗器Ｒ1ないしＲ4の抵抗値を調整したり、抵抗器Ｒ1ないしＲ4のいずれかを交換したりすることが必要になり、出力電圧の調整のために余分な工数が必要になって、製造コストが高くなるという問題があった。
【００１１】
なお抵抗器Ｒ1ないしＲ4として、抵抗値のばらつきが少ない高精度の抵抗器を用いることも考えられるが、高精度の抵抗器は非常に高価であるため、電源装置のコストの上昇を招く。
【００１２】
また電源装置の出力電圧のばらつきの範囲をある広めに程度許容することも考えられるが、電源電圧により特性が変化する負荷が負荷３に含まれている場合には、負荷を制御する制御装置内で、出力電圧の値に応じて、負荷の制御項目を補正することが必要になり、面倒である。例えば、負荷がインジェクタ（エンジンに供給する燃料を噴射する燃料噴射弁）である場合には、電源電圧によってインジェクタの無効噴射時間（インジェクタ駆動回路に噴射指令信号を与えてから実際に燃料噴射が開始されるまでの遅れ時間）が変わってくる。あるインジェクタでは、駆動電圧が１４．０［Ｖ］のときの無効噴射時間が１０００μsecであるのに対し、駆動電圧が１３．６［Ｖ］まで低下すると、無効噴射時間が１１５０μsecとなる。この場合、インジェクタに与える噴射指令信号の信号幅を同じにすると、電源電圧が低いときには無効噴射時間が長くなるため、実噴射時間が短くなり、エンジンに供給される燃料の量が不足してしまう。このようなことが起こらないようにするためには、インジェクタを制御する制御装置内で、電源電圧に応じて無効噴射時間を補正する処理を行う必要があり、面倒である。特に制御装置において、除算機能を持たない安価なＣＰＵが用いられる場合には、補正処理を的確に行うことができないこともある。      
【００１３】
図１０に示した例では、電機子電流のチョッパ制御を行って、電機子コイルに昇圧された電圧を誘起させることにより、発電機の電機子コイルの巻数を多くすることなく、負荷を駆動する電圧を得るようにした電源装置を例にとったが、抵抗器により出力電圧の設定値を定める他の形式の電源装置、例えば、レギュレータＩＣに外付けの電圧設定用抵抗器を接続して、所定の設定値に調整された電圧を得るようにした電源装置等においても、外付けの抵抗器の抵抗値のばらつきにより出力電圧にばらつきが生じるので、上記と同様の問題が生じる。
【００１４】
本発明の目的は、出力電圧の設定値を決定する抵抗器や、出力電圧の検出回路を構成する抵抗器の抵抗値の調整を行うことなく、出力電圧の電圧値を規格の範囲に収めることができるようにした電源装置を提供することにある。
【課題を解決するための手段】
【００１５】
本発明は、出力電圧の設定値を調整する際に抵抗値が調整される抵抗器を備えた出力電圧設定部と、出力電圧を設定値に保つように制御する制御部とを備えた電源装置に適用される。
【００１６】
本発明においては、前記出力電圧設定部が、複数の設定値切換用スイッチを備えて、該設定値切換用スイッチのオンオフにより前記抵抗器の抵抗値を切り換えて出力電圧の設定値を切り換える設定値切換部と、出力電圧の電圧値を規格範囲に収めるために各設定値切換用スイッチがとるべきオンオフの状態を示す情報を記憶する記憶装置と、電圧変換部から負荷に電圧を供給する際に各設定値切換用スイッチの状態を記憶装置に記憶された情報が示す通りの状態にするように設定値切換用スイッチを制御する設定値切換用スイッチ制御部とを備えている。
【００１７】
本発明はまた、電源部から与えられる入力電圧を負荷に与える出力電圧に変換する電圧変換部と、電圧変換部の出力電圧の電圧値の設定値を与える出力電圧設定信号を発生する出力電圧設定部と、出力電圧の電圧値と設定値との偏差を零にするように電圧変換部を制御する出力電圧制御部とを備えた電源装置に適用される。
【００１８】
本発明においては、出力電圧設定部に、複数の設定値切換用スイッチを備えて該設定値切換用スイッチのオンオフにより設定値を切り換える設定値切換部と、出力電圧の電圧値と設定値との偏差を許容範囲内に収めるために各設定値切換用スイッチがとるべきオンオフの状態を示す情報を記憶する記憶装置と、電圧変換部から負荷に電圧を供給する際に各設定値切換用スイッチの状態を記憶装置に記憶された情報が示す通りの状態にするように設定値切換用スイッチを制御する設定値切換用スイッチ制御部とが設けられる。
【００１９】
上記のように構成すると、電源装置の製造過程の検査工程においては、出力電圧の電圧値が規格範囲から外れているときに、出力電圧の電圧値と設定値との偏差を許容範囲内に収めるために各設定値切換用スイッチがとるべきオンオフの状態を求めて、そのオンオフの状態を示す情報を記憶させる過程を行うだけでよいため、抵抗器の抵抗値の調整や、抵抗器の交換等を行う場合に比べて、調整の手間を少なくすることができ、製造コストの低減を図ることができる。出力電圧の電圧値と設定値との偏差を許容範囲内に収めるために各設定値切換用スイッチがとるべきオンオフの状態は、出力電圧の実測値に応じて各設定値切換用スイッチをオンオフして、出力電圧の変化を見ることにより簡単に求めることができ、各設定値切換用スイッチがとるべきオンオフの状態を求める過程は、容易に自動化することができる。
【００２０】
電源装置を実際に使用する際には、設定値切換用スイッチ制御部が各設定値切換用スイッチを記憶装置に記憶された情報が示す通りの状態にして、出力電圧の電圧値を規格範囲に収めるように（出力電圧の電圧値と設定値との偏差を許容範囲内に収めるように）設定値を切り換えるので、出力電圧の変動範囲が規格範囲に収まった状態で負荷を駆動することができる。
【００２１】
本発明の好ましい態様では、上記出力電圧設定部が、互いに直列に接続された上辺の抵抗と下辺の抵抗とを有して、定電圧電源回路から得られる一定の直流電圧を分圧して出力電圧の電圧値の設定値を与える出力電圧設定信号を発生する分圧回路と、互いに直列に接続された上辺の抵抗と下辺の抵抗とからなっていて定電圧電源回路から得られる一定の直流電圧を分圧して前記出力電圧設定信号を発生する分圧回路と、複数の設定値切換用スイッチを備えて該複数の設定値切換用スイッチのオンオフにより分圧回路の分圧比を異なる値に切り換えて設定値を切り換える設定値切換部と、出力電圧の電圧値と設定値との偏差を許容範囲内に収めるために各設定値切換用スイッチがとるべきオンオフの状態を示す情報を記憶する記憶装置と、電圧変換部から負荷に電圧を供給する際に各設定値切換用スイッチの状態を記憶装置に記憶された情報が示す通りの状態にするように設定値切換用スイッチを制御する設定値切換用スイッチ制御部とにより構成される。
【００２２】
本発明の好ましい態様では、上記設定値切換部に設けられる各設定値切換用スイッチが、抵抗分を有するインピーダンス素子を通して分圧回路の上辺の抵抗または下辺の抵抗に対して並列に接続される。
【００２３】
本発明の他の好ましい態様では、上記設定値切換部に設けられる各設定値切換用スイッチが、分圧回路の上辺の抵抗の一部または下辺の抵抗の一部に対して並列に接続されていて、各設定値切換用スイッチのオンオフにより分圧回路の上辺の抵抗の抵抗値または下辺の抵抗の抵抗値が切り換えられる。
【００２４】
上記電圧変換部は、ｎ個（ｎは２以上の整数）の整流用ダイオードとｎ個のＭＯＳＦＥＴとを備えて、該ｎ個の整流用ダイオードと該ｎ個のＭＯＳＦＥＴとによりダイオードブリッジ全波整流回路を構成するように、ｎ個のダイオード及びｎ個のＭＯＳＦＥＴを、それぞれをブリッジの上辺及び下辺の一方及び他方に位置させてブリッジ接続した回路により構成することができる。
【００２５】
この場合、出力電圧制御部は、電圧変換部から得られる出力電圧の電圧値と設定値との偏差を零にするように該偏差に応じてデューティが変化する矩形波状の駆動信号をＭＯＳＦＥＴのゲートに同時に与えてｎ個のＭＯＳＦＥＴを同時にオンオフさせるように構成することができる。
【発明の効果】
【００２６】
以上のように、本発明によれば、複数の設定値切換用スイッチを備えて該設定値切換用スイッチのオンオフにより設定値を切り換える設定値切換部と、出力電圧の電圧値と設定値との偏差を許容範囲内に収めるために各設定値切換用スイッチがとるべきオンオフの状態を示す情報を記憶する記憶装置と、電圧変換部から負荷に電圧を供給する際に各設定値切換用スイッチの状態を記憶装置に記憶された情報が示す通りの状態にするように設定値切換用スイッチを制御する設定値切換用スイッチ制御部とを出力電圧設定部に設けたので、電源装置の製造過程の検査工程においては、出力電圧の電圧値が規格範囲から外れているときに、出力電圧の電圧値と設定値との偏差を許容範囲内に収めるために各設定値切換用スイッチがとるべきオンオフの状態を求めて、そのオンオフの状態を示す情報を記憶装置に記憶させる過程を行うだけでよく、抵抗器の抵抗値の調整や、抵抗器の交換等を行う必要がないため、製造過程の検査工程において行う調整の手間を少なくして、製造コストの低減を図ることができる。
【００２７】
また本発明によれば、電源装置を実際に使用する際には、設定値切換用スイッチ制御部が各設定値切換用スイッチを記憶された情報が示す通りの状態にして、出力電圧の電圧値を規格範囲に収めるように設定値を切り換えるので、出力電圧の変動範囲が規格範囲に収まった状態で負荷を駆動することができる。
【発明を実施するための最良の形態】
【００２８】
以下図面を参照して本発明の好ましい実施形態を詳細に説明する。図１は本発明に係わる電源装置の第１の実施形態を示したもので、同図において、１は内燃機関により駆動される磁石式交流発電機からなる電源部、２は電源部１から与えられる入力電圧を負荷３に与える出力電圧に変換する電圧変換部、４は出力電圧設定部、５は負荷３に与える出力電圧を設定値に保つように電圧変換部２を制御する出力電圧制御部、Ｃ1は電源装置の出力端に接続された平滑用コンデンサである。図１に示した電源装置の構成をブロック図で表すと図２に示すようになる。
【００２９】
図１０に示した従来例と同様に、電圧変換部２は、２個の整流用ダイオードＤ1，Ｄ2と、２個のＭＯＳＦＥＴ  Ｆ1，Ｆ2とを備えて、整流用ダイオードＤ1，Ｄ2とＭＯＳＦＥＴＦ1，Ｆ2とによりダイオードブリッジ全波整流回路を構成するように、ダイオードＤ1，Ｄ2及びＭＯＳＦＥＴ  Ｆ1，Ｆ2をそれぞれブリッジの上辺及び下辺の一方及び他方に位置させてブリッジ接続した回路からなっている。なおＤf1，Ｄf2はそれぞれＭＯＳＦＥＴＦ1，Ｆ2のドレイン・ソース間に形成された寄生ダイオードである。
【００３０】
本発明においては、出力電圧設定部４が、分圧回路４Ａと、設定値切換部４Ｂと、記憶装置４Ｃと、設定値切換用スイッチ制御部４Ｄとにより構成されている。更に詳細に説明すると、分圧回路４Ａは、互いに直列に接続された上辺の抵抗Ｒ1と下辺の抵抗Ｒ2とにより構成され、その両端に、図示しない定電圧電源回路から得られる一定の直流電圧Ｖccが印加されている。分圧回路４Ａは一定の直流電圧Ｖccを分圧して出力電圧の設定値を与える出力電圧設定信号ｖsを出力する。
【００３１】
設定値切換部４Ｂは、複数の（図示の例では２個の）設定値切換用スイッチ４B1，４B2を備えて、該設定値切換用スイッチ４B1，４B2のオンオフにより設定値を切り換える部分で、各設定値切換用スイッチは、抵抗分を有するインピーダンス素子を通して分圧回路４Ａの上辺の抵抗Ｒ1または下辺の抵抗Ｒ2に対して並列に接続される。図示の例では、設定値切換用スイッチ４B1が抵抗Ｒaを通して分圧回路４Ａの上辺の抵抗Ｒ1に対して並列に接続され、設定値切換用スイッチ４B2が、抵抗Ｒbを通して分圧回路の下辺の抵抗Ｒ2に対して並列接続されている。
【００３２】
図示の例では、設定値切換用スイッチ４B1，４B2がＭＯＳＦＥＴからなっていて、設定値切換スイッチ４B1を構成するＭＯＳＦＥＴのドレインが図示しない定電圧電源回路の正極側出力端子に接続され、該ＭＯＳＦＥＴのソースは抵抗Ｒaを通して分圧回路４Ａの分圧点に接続されている。また設定値切換スイッチ４B2を構成するＭＯＳＦＥＴのドレインが抵抗Ｒbを通して分圧回路４Ａの分圧点に接続され、ソースは接地されている。
【００３３】
設定値切換部４Ｂは次のように動作して出力電圧の設定値を切り換える。即ち、設定値切換用スイッチ４B1，４B2が共にオフ状態にあるときには、抵抗Ｒa及びＲbが分圧回路４Ａから切り離されているので、分圧回路４Ａは上辺の抵抗Ｒ1及び下辺の抵抗Ｒ2により決まる分圧比で電圧Ｖccを分圧して出力電圧設定信号ｖsを出力する。
【００３４】
これに対し、設定値切換用スイッチ４B1がオン状態にあり、設定値切換用スイッチ４B2がオフ状態にあるときには、抵抗Ｒaが抵抗Ｒ1に対して並列に接続されるため、出力電圧設定信号ｖsは設定値切換用スイッチ４B1，４B2が共にオフ状態にあるときよりも大きい値に切り換えられる。また設定値切換用スイッチ４B2がオン状態にあり、設定値切換用スイッチ４B1がオフ状態にあるときには、抵抗Ｒbが抵抗Ｒ2に並列に接続されるため、出力電圧設定信号ｖsは、設定値切換用スイッチ４B1，４B2が共にオフ状態にあるときよりも小さい値に切り換えられる。
【００３５】
本実施形態では、負荷３にバッテリが含まれていて、該バッテリを１４．０［Ｖ］まで充電することを想定している。そのため、出力電圧Ｖ1の規格値を１４．０［Ｖ］としている。この場合、設定値切換用スイッチ４B1及び４B2が共にオフ状態にあるときの出力電圧の設定値が１４．０［Ｖ］となるように、抵抗Ｒ1及びＲ2の抵抗値を設定しておく。
【００３６】
また本実施形態では、出力電圧の規格値に対して±０．１［Ｖ］の範囲を出力電圧Ｖ1の第１の規格範囲とし、出力電圧がこの第１の規格範囲内にあるときには製品が規格を満たしているとして合格の判定を行う。これに対し、出力電圧Ｖ1が第１の規格範囲から外れているが許容誤差範囲（規格値に対して±０．５Ｖの範囲）内にあるときには、設定値切換用スイッチ４B1または４B2のいずれかをオン状態にすることにより、出力電圧Ｖ1を０．３［Ｖ］シフトさせて出力電圧を第２の規格範囲（規格値１４．０［Ｖ］を中心にして±０．２［Ｖ］の範囲）内に収め、出力電圧が許容誤差範囲を外れているときには不良品と判定することを意図している。
【００３７】
即ち、設定値切換用スイッチ４B1をオン状態にし、設定値切換用スイッチ４B2をオフ状態にしたときに、これらのスイッチが共にオフ状態にある時に比べて出力電圧の設定値が０．３Ｖ大きくなり、設定値切換用スイッチ４B2をオン状態にし、設定値切換用スイッチ４B1をオフ状態にしたときに、これらのスイッチが共にオフ状態にある時に比べて出力電圧の設定値が０．３Ｖ小さくなるように、抵抗Ｒa及びＲbの抵抗値が設定されている。
【００３８】
記憶装置４Ｃはフラッシュメモリや、ＥＥＰＲＯＭ等の書き換えが可能な不揮発性メモリからなっていて、電源装置の製造過程の最終工程で行われる製品検査の際に、出力電圧の電圧値Ｖ1を規格範囲に収めるために各設定値切換用スイッチがとるべきオンオフの状態を示す情報を記憶する。
【００３９】
設定値切換用スイッチ制御部４Ｄは、電源部１を運転して、実際に電圧変換部２から負荷３に電圧を供給する際に（電源装置を運転する際に）各設定値切換用スイッチ４B1，４B2の状態を、スイッチ状態記憶装置４Ｃに記憶された通りの状態にするように設定値切換用スイッチ４B1，４B2を制御する部分で、本実施形態では、この設定値切換用スイッチ制御部４Ｄが、マイクロプロセッサ４D1と、マイクロプロセッサ４D1から与えられる指令に応じて設定値切換用スイッチ４B1，４B2をそれぞれ構成するＭＯＳＦＥＴのゲートに駆動信号（ＭＯＳＦＥＴをオン状態にするための信号）を与えるＦＥＴ駆動回路４D2とからなっている。
【００４０】
出力電圧制御部５は、電圧変換部２から得られる出力電圧Ｖ1が両端に印加された抵抗Ｒ3及びＲ4の直列回路からなる電圧検出部５Ａと、ＭＯＳＦＥＴ  Ｆ1，Ｆ2を同時にオンオフさせるようにＭＯＳＦＥＴＦ1，Ｆ2のゲートに同位相の矩形波状駆動信号Ｖqを与える駆動信号発生回路５Ｂと、電圧検出部５Ａが出力する電圧検出信号ｖ1により検出される出力電圧の電圧値Ｖ1と分圧回路４Ａが出力する出力電圧設定信号ｖsにより与えられる設定値Ｖsとの偏差を零にするように該偏差に応じてＭＯＳＦＥＴ  Ｆ1，Ｆ2への駆動信号Ｖqの供給を制御する駆動信号供給制御部５Ｃとからなっている。
【００４１】
駆動信号供給制御部５Ｃは、電圧検出信号ｖ1及び設定信号ｖsがそれぞれ反転入力端子及び非反転入力端子に入力された電圧比較器ＣＭＰと、比較器ＣＭＰの非反転入力端子と出力端子との間に接続されたダイオードＤ3及び抵抗Ｒ5とからなっている。比較器ＣＭＰは、電圧検出信号ｖ1と設定信号ｖsとを比較して、電圧検出信号ｖ1の大きさが設定信号ｖsの大きさを超えたときにその出力を低レベルの状態にし、電圧検出信号ｖ1の大きさが設定信号ｖsの大きさ以下のときにその出力を高レベルの状態にする。
【００４２】
駆動信号発生回路５Ｂは、比較器ＣＭＰの出力が高レベルであるときに所定のデューティ（例えば５０％）を有する矩形波信号Ｖｑを発生して、ＭＯＳＦＥＴ  Ｆ1，Ｆ2を同時にオンオフさせ、比較器ＣＭＰの出力が低レベルになったときに矩形波信号Ｖqのデューティを１００％としてＭＯＳＦＥＴ  Ｆ1，Ｆ2を共にオン状態に保持する。
【００４３】
電圧変換部２において、ＭＯＳＦＥＴ  Ｆ1，Ｆ2が同時にオン状態にあるときには、電機子コイル１ＡがＭＯＳＦＥＴ  Ｆ1，Ｆ2を通して短絡されるため、電機子コイル１Ａを通して電機子電流が流れる。ＭＯＳＦＥＴ  Ｆ1，Ｆ2が共にオフ状態になると、それまで流れていた電機子電流が遮断されるため、電機子コイル１Ａに昇圧された電圧が誘起する。従って、ＭＯＳＦＥＴ  Ｆ1，Ｆ2がオンオフを繰り返しているときには、これらのＭＯＳＦＥＴがオフ状態になる毎に電機子コイル１Ａにパルス状の昇圧された電圧が誘起し、この電圧がダイオードＤ1，Ｄ2とＭＯＳＦＥＴ  Ｆ1，Ｆ2とからなる全波整流回路を通して直流電圧として負荷３に供給される。電圧変換部２から負荷３に与えられる出力電圧Ｖ1が設定値Ｖsを超えると、比較器ＣＭＰがその出力を低レベルにして、駆動信号発生回路５Ｂが発生する駆動信号のデューティを１００％とするため、電機子コイル１Ａは、ＭＯＳＦＥＴ  Ｆ1，Ｆ2を通して短絡された状態に保持され、出力電圧Ｖ1が低下する。これらの動作の繰り返しにより、負荷３に与えられる出力電圧Ｖ1の電圧値が設定値付近に保たれる。
【００４４】
上記のように、ＭＯＳＦＥＴ  Ｆ1，Ｆ2のオンオフにより発電機の電機子電流を断続させて電機子コイルに昇圧された電圧を誘起させ、この昇圧された電圧を整流して負荷に与えるようにすると、電機子コイル１Ａの巻数を少なくしても発電機の低速回転時に高い出力電圧を得ることができる。また電機子コイル１Ａの巻数を少なくしてそのインピーダンスを小さくすることができるため、発電機の高速回転時に大きな負荷電流を流すことができる。
【００４５】
本発明に係わる電源装置を製造する際には、その検査工程で、電源装置に検査装置６を接続して、出力電圧Ｖ1を規格範囲に収めるために設定値切換用スイッチ４B1，４B2がとるべき状態を求める過程を行い、その結果をマイクロプロセッサ４D1を通してスイッチ状態記憶装置４Ｃに記憶させる。
【００４６】
検査装置６は電圧変換部２の出力電圧Ｖ1を検出する電圧検出部と、マイクロプロセッサ４D1との間で通信を行う手段とを備えていて、マイクロプロセッサ４D1からの指令により電圧変換部２の出力電圧Ｖ1を検出し、検出した出力電圧Ｖ1が第１の規格範囲（規格値を中心にして±０．１［Ｖ］の範囲）から外れているが、許容誤差範囲（規格値を中心にして±０．５［Ｖ］の範囲）内にあるときに、出力電圧が規格値よりも高いか低いかに応じて、設定値切換用スイッチ４B1，４B2のいずれかをオン状態にする。
【００４７】
即ち、出力電圧Ｖ1が規格値よりも第１の規格範囲以上低いときには、設定値切換用スイッチ４B1をオン状態にし、出力電圧Ｖ1が規格値よりも規格範囲以上高いときには、設定値切換用スイッチ４B2をオン状態にしして、出力電圧が規格範囲に収まったか否かを確認する。その結果、出力電圧Ｖ1が規格範囲に収まったときには、そのときの各設定値切換用スイッチの状態（オン状態またはオフ状態）を記憶装置４Ｃに記憶させる。
【００４８】
そして、電源装置を運転する際には、マイクロプロセッサ４D1が設定値切換用スイッチ４B1，４B2の状態を記憶装置４Ｃに記憶された通りの状態にするため、電源装置からは、規格範囲内の出力電圧Ｖ1が出力され、負荷に印加される電圧が過大になったり、不足したりするのを防ぐことができる。
【００４９】
電源装置の製造過程で行われ検査工程でマイクロプロセッサ４D1が実行するプログラムのアルゴリズムを示すフローチャートを図６に示した。このアルゴリズムによる場合には、先ずステップＳ１０１でＨｉｇｈフラグ［検出された出力電圧Ｖ1が規格値（１４．０Ｖ）よりも不感帯（０．１Ｖ）以上高いことを示すフラグ］を０にクリアし、ステップＳ１０２で Ｌｏｗフラグ［検出された出力電圧Ｖ1が規格値（１４．０Ｖ）よりも不感帯（０．１Ｖ）以上低いことを示すフラグ］をクリアする。次いでステップＳ１０３で出力電圧Ｖ1を読み込み、ステップＳ１０４で出力電圧Ｖ1が規格値以内か（±０．１Ｖ以内か）否かを判定し、出力電圧が規格値以内の時には、ステップＳ１０５で合格の判定をして、この処理を終了する。
【００５０】
ステップＳ１０４で出力電圧Ｖ1が規定電圧から外れていると判定されたときには、ステップＳ１０６に進んで、出力電圧Ｖ1が許容誤差電圧以内か（規格値に対して±０．５Ｖの範囲内か）否かを判定する。その結果、出力電圧が許容誤差電圧以内であると判定されたときにはステップＳ１０７に進んで、出力電圧Ｖ1の検出値が規定電圧に対して高い側にあるか否かを判定する。この判定により、出力電圧Ｖ1の検出値が規定電圧に対して高い側にあると判定されたときにはステップＳ１０８に進んでＨｉｇｈフラグを１にセットし、出力電圧Ｖ1の検出値が規定電圧に対して低い側にあると判定されたときにはステップＳ１０９に進んでＬｏｗフラグを１にセットする。ステップＳ１０８またはＳ１０９を実行した後、ステップＳ１１０で各フラグの状態を記憶装置４Ｃに書き込む。
【００５１】
次いでステップＳ１１１で記憶装置４Ｃからフラグの状態を読み出し、ステップＳ１１２でＨｉｇｈフラグが１にセットされている否かを判定する。その結果、Ｈｉｇｈフラグが１にセットされている場合には、ステップＳ１１３で設定値切換スイッチ４B2（ＭＯＳＦＥＴ  Ｆb）をオン状態にして出力電圧Ｖ1を−０．３［Ｖ］シフトさせる。またステップＳ１１２でＨｉｇｈフラグが１にセットされていないと判定されたときには、ステップＳ１１４でＬｏｗフラグが１にセットされているか否かを判定する。その結果、Ｌｏｗフラグが１にセットされている場合には、ステップＳ１１５で設定値切換スイッチ４B1（ＭＯＳＦＥＴ  Ｆa）をオン状態にして出力電圧Ｖ1を＋０．３［Ｖ］シフトさせる。
【００５２】
ステップＳ１１３またはＳ１１５で出力電圧を−０．３Ｖまたは＋０．３Ｖシフトさせた後、ステップＳ１１６で出力電圧Ｖ1の検出値を読み込み、ステップＳ１１７で出力電圧Ｖ1が第２の規格範囲内（規格値に対して±０．２Ｖ以内）にあると判定されたときには、ステップＳ１０５に進んで合格の判定をしてこの処理を終了する。
【００５３】
ステップＳ１０６で出力電圧が許容誤差範囲を超えていると判定されたとき、ステップＳ１１４でＬｏｗフラグが１にセットされていないと判定されたとき、及びステップＳ１１７で出力電圧が第２の規格範囲から外れていると判定されたときには、ステップＳ１１８に進んで、製品が不合格であるとの判定を下し、この処理を終了する。
【００５４】
図７は、電源装置の運転を開始する際に、マイクロプロセッサ４D1が実行するプログラムのアルゴリズムを示したもので、このアルゴリズムによる場合には、ステップＳ２０１でＨｉｇｈフラグが１であるか否かを判定し、その結果Ｈｉｇｈフラグが１であると判定されたときには、ステップＳ２０２でＭＯＳＦＥＴ  Ｆb(設定値切換用スイッチ４B2）をオン状態にしてこの処理を終了する。またステップＳ２０１でＨｉｇｈフラグが１でないと判定されたときには、ステップＳ２０３に移行してＬｏｗフラグが１であるか否かを判定する。その結果、Ｌｏｗフラグが１であると判定されたときにはステップＳ２０４に進んでＭＯＳＦＥＴ  Ｆa（設定値切換用スイッチ４B1）をオン状態にしてこの処理を終了する。ステップＳ２０３でＬｏｗフラグが１にセットされていないと判定されたとき（出力電圧が第１の規定範囲（規定値に対して±０．１Ｖ以内）にあるときには、何もしないでこの処理を終了する。
【００５５】
上記の処理を行うことにより、出力電圧が規定値に対して±０．３〜０．５［Ｖ］の範囲にあれば、いずれかの設定値切換用スイッチ４B1，４B2のいずれかをオン状態にすることにより、出力電圧を規定値の±０．２［Ｖ］の範囲内に収めることができる。
【００５６】
図８は、本発明を適用する前の電源装置の出力電圧の分布状況の一例を示したもので、同図においては、横軸に出力電圧をとり、縦軸に分布数量ｎをとっている。図８において符号ア，イ，…，コはそれぞれ出力電圧が１３．５Ｖ，１３．６Ｖ，…，１４．４Ｖの場合を示している。図８から明らかなように、本発明を適用する前の状態では、電源装置の出力電圧が１３．５Ｖないし１４．４Ｖの広い範囲でばらついていた。
【００５７】
これに対し、図８の分布状況を測定する試験に供したものと同じ電源装置に本発明を適用した後の出力電圧の分布は図９に示す通りであり、出力電圧Ｖ1は規定値１４Ｖに対して、±０．２Ｖの範囲に収めることができた。
【００５８】
上記の実施形態では、設定値切換部４Ｂに設けられた各設定値切換用スイッチが、固定抵抗器を通して分圧回路の上辺の抵抗または下辺の抵抗に並列接続されているが、各設定値切換用スイッチは、抵抗分を有するインピーダンス素子を通して分圧回路の上辺の抵抗または下辺の抵抗に対して並列に接続されればよく、上記の構成に限定されない。例えば図３に示すように、設定値切換用スイッチ４B1を、所定個数のダイオードＤaを直列接続して構成した分圧比切換用のインピーダンス素子を通して分圧回路４Ａの上辺の抵抗Ｒaに対して並列に接続し、設定値切換用スイッチ４B2を、所定個数のダイオードＤbを直列接続して構成した分圧比切換用のインピーダンス素子を通して、分圧回路４Ａの下辺の抵抗Ｒbに対して並列に接続するようにしてもよい。図３に示した実施形態のその他の構成は図１に示した実施形態と同様である。
【００５９】
また上記の実施形態では、出力電圧設定信号を発生する分圧回路の上辺の抵抗及び下辺の抵抗のそれぞれにインピーダンス素子を通して設定値切換用スイッチを並列接続するようにしたが、設定値切換部４Ｂは、設定値切換用スイッチのオンオフにより分圧回路の分圧比を切り換えることができるように構成されれば良く、その構成は上記の実施形態に示したものに限定されない。例えば、設定値切換部４Ｂに設けられる各設定値切換用スイッチが、分圧回路４Ａの上辺の抵抗の一部または下辺の抵抗の一部に対して並列に接続されて、各設定値切換用スイッチのオンオフにより分圧回路の上辺の抵抗の抵抗値または下辺の抵抗の抵抗値が切り換えられるように構成されてもよい。例えば、図４に示すように、分圧回路４の下辺の抵抗を、互いに直列に接続された第１ないし第３の抵抗器Ｒ2aないしＲ2cにより構成して、第２の抵抗器Ｒ2bと第３の抵抗器Ｒ2cとの直列回路に対して並列に設定値切換用スイッチ４B1を接続し、第３の抵抗器Ｒ2cに対して並列に設定値切換用スイッチ４B2を並列に接続するようにしてもよい。このように構成した場合には、スイッチ４B2をオン状態にし、スイッチ４B1をオフ状態にしたときに、分圧回路から規格値に相当する設定値を与える出力電圧設定信号を出力することができ、スイッチ４B1をオン状態にしたときに設定値を例えば−０．３［Ｖ］シフトさせ、スイッチ４B1及び４B2の双方をオフ状態にしたときに設定値を例えば＋０．３［Ｖ］シフトさせるようにすることができる。
【００６０】
また分圧回路の上辺の抵抗及び（または）下辺の抵抗に対して、複数の設定値切換用スイッチをインピーダンス素子を通して並列に接続することにより、よりきめ細かく設定値を切り換えるようにすることもできる。例えば図５に示すように、分圧回路４Ａの上辺の抵抗Ｒ1に対して並列に、設定値切換用スイッチ４B11を抵抗Ｒa1を通して接続すると共に、設定値切換用スイッチ４B12を抵抗Ｒa2を通して接続し、分圧回路４Ａの下辺の抵抗Ｒ2に対して並列に、設定値切換用スイッチ４B21を抵抗Ｒb1を通して接続すると共に、設定値切換用スイッチ４B22を抵抗Ｒb2を通して接続するようにしてもよい。このように構成すると、設定値切換用スイッチ４B11，４B12，４B21及び４B22のオンオフの組合せにより、出力電圧の設定値をきめ細かく切り換えることができる。
【００６１】
上記の各実施形態では、電源部から与えられる入力電圧を負荷に与える出力電圧に変換する電圧変換部と、出力電圧の電圧値の設定値を与える出力電圧設定信号を発生する出力電圧設定部と、出力電圧の電圧値と設定値との偏差を零にするように電圧変換部を制御する出力電圧制御部とを備えた電源装置に本発明を適用したが、本発明は、出力電圧の設定値を調整する際に抵抗値が調整される抵抗器を備えた出力電圧設定部と、出力電圧を設定値に保つように制御する制御部とを備えた電源装置に広く適用することができる。電源装置が如何なる構成を有している場合も、出力電圧設定部は、複数の設定値切換用スイッチを備えて、該設定値切換用スイッチのオンオフにより設定値調整用の抵抗器の抵抗値を切り換えて出力電圧の設定値を切り換える設定値切換部と、出力電圧の電圧値を規格範囲に収めるために各設定値切換用スイッチがとるべきオンオフの状態を示す情報を記憶する記憶装置と、電圧変換部から負荷に電圧を供給する際に各設定値切換用スイッチの状態を記憶装置に記憶された情報が示す通りの状態にするように設定値切換用スイッチを制御する設定値切換用スイッチ制御部とにより構成することができる。
【００６２】
本発明を適用することができる他の電源装置としては、例えば３端子レギュレータに出力電圧調整用（ブースト用）の抵抗器を外付けして、レギュレータの規定電圧と異なる電圧を出力させるようにした電源装置や、スイッチングレギュレータを用いた電源装置、或いは、ダイオードとサイリスタとの混合ブリッジ回路を電圧変換部として用いてサイリスタを位相制御することにより出力電圧を設定値に保つようにした電源装置等がある。
【図面の簡単な説明】
【００６３】
【図１】本発明の第１の実施形態の構成を示した回路図である。
【図２】本発明の第１の実施形態の構成を示したブロック図である。
【図３】本発明の第２の実施形態の構成を示した回路図である。
【図４】本発明の第３の実施形態の要部の構成を示した回路図である。
【図５】本発明の第４の実施形態の要部の構成を示した回路図である。
【図６】本発明の実施形態において、製品の検査工程でマイクロプロセッサが実行するプログラムのアルゴリズムを示したフローチャートである。
【図７】本発明の実施形態において、電源装置を運転する際にマイクロプロセッサが実行するプログラムのアルゴリズムを示したフローチャートである。
【図８】本発明を適用する前の電源装置の出力電圧の分布を示したヒストグラムである。
【図９】本発明を適用した後の電源装置の出力電圧の分布を示したヒストグラムである。
【図１０】従来の電源装置の構成例を示した回路図である。
【符号の説明】
【００６４】
１  電源部
２  電圧変換部
３  負荷
４  出力電圧設定部
４Ａ  分圧回路
４Ｂ  設定値切換部
４Ｃ  記憶装置
４Ｄ  設定値切換用スイッチ制御部
５  出力電圧制御部
６  検査装置
【図１】
2007282404.tif 000003
【図２】
2007282404.tif 000004
【図３】
2007282404.tif 000005
【図４】
2007282404.tif 000006
【図５】
2007282404.tif 000007
【図６】
2007282404.tif 000008
【図７】
2007282404.tif 000009
【図８】
2007282404.tif 000010
【図９】
2007282404.tif 000011
【図１０】
2007282404.tif 000012